(57)【要約】 【課題】  本発明は、冷たい飲料用タンブラーとして最適とする新規の氷結容器の提供を図る。【解決手段】  氷結水収容用空所を有する二重容器を形成するための外側容体Aと内側容体Bとから成り、外側容体Aの内壁所要箇所に係止用横長突起３を突設すると共に、内側容体Bの外壁所要箇所に横長受け溝片４を突設し、内側容体Bを水平方向に回転させることにより、横長受け溝片４が移動して係止用横長突起３と係合し、当該係止に基づき、外側容体Aと内側容体Bとの適正重ね合せ状態での固定化を図るように構成した氷結容器【選択図】  図１
2014015243.tif 000002
【特許請求の範囲】
【請求項１】
両者を重ね合わせることに依って氷結水収容用空所を有する二重容器を形成するための外側容体(A)と内側容体(B)とから成り、外側容体(A)の内壁所要箇所に係止用横長突起(３)を複数突設すると共に、内側容体(B)の外壁所要箇所にして前記係止用横長突起(３)と高さ的に対応する箇所に横長受け溝片(４)を複数突設し、内側容体(B)を水平方向に回転させることにより、横長受け溝片(４)が移動して係止用横長突起(３)と係合し、当該係止に基づき、外側容体(A)と内側容体(B)との適正重ね合せ状態での固定化を図るように構成した氷結容器。
【請求項２】
内側容体(B)の上端部分には、非重ね合せ部分たる飲み口用筒部(１)を連設すると共に、当該連設基部には段部(２)を形成することに依って、外側容体(A)と内側容体(B)の適性重ね合せ状態において、外側容体(A)の上端縁が当該段部(２)に突き当たり、その重ね合せの安定化を図るように構成した請求項１に記載の氷結容器。
【請求項３】
外側容器(A)と内側容器(B)の各周壁面を、開口面側が大径化するようなテーパ周壁面とすると共に、両者を重ね合せた際に外側容器(A)の周壁面に対して内側容体(B)の周壁が上方に行くに従って次第に近づくように、両者のテーパ角度を違えたものとし、段部(２)の存在に基づき、外側容器(A)と内側容器(B)の適性重ね合せ状態の安定化が図られた際、底面側には所要量の水を貯えるための空所(M)が形成されると共に、これと連続しかつ両容体(A,B)の周壁面で形成される部分には、上方に行くに従って狭小化する空所(N)が形成されるように構成した請求項１または請求項２の何れかに記載の氷結容器。
【請求項４】
内側容体(B)の外壁面上端寄り所要箇所に密閉用Oリング(５)を設けることに依って、両容体(A,B)の安定的重ね合せの固定化が図られた状態で、上記狭小化する空所(N)の上端閉鎖がなされ、両容体(A,B)を天地逆転させた状態における氷結用内蔵水漏洩を阻止するように構成した請求項１乃至請求項３の何れかに記載の氷結容器。
【請求項５】
外側容体(A)の内面にして下方寄り所要箇所に、外側容体(A)に入れるべき水量の目安となる水位表示用ライン(６)を設けるように構成した請求項１乃至請求項４の何れかに記載の氷結容器。
【発明の詳細な説明】
【技術分野】
【０００１】
本発明は、例えばウイスキー、ビール、清涼飲料のような冷たい飲料用タンブラーとして最適とする氷結容器に関する。
【背景技術】
【０００２】
従来、この種の容器として、ジョッキ状のもの（例えば、特許文献１参照。）、或いはコップ状のもの（例えば、特許文献２参照。）等が存在する。  そして、この種の容器は、外側容体と内側容体との二重構造とすると共にその間に水を封入し、これを冷凍することに依って、容器内に満たした飲用物の冷却化を図るものである。
【先行技術文献】
【特許文献】
【０００３】
【特許文献１】特開平１０−２１８１７４号公報
【特許文献２】実開平３−４７５３号公報
【発明の概要】
【発明が解決しようとする課題】
【０００４】
この種の容器で一番問題となる点は、二重構造とする内外両容体の気密性保持にある。  すなわち、内外両容体間に水を入れて凍らせる関係上、これが融けた際の水漏れ発生という事態の皆無性が重要である。  更に、水は凍った際に体積が増加し、内外容体を拡げようとする力が発生する。  このような力は著しいものがあり、これにより内外容体の密封性齟齬を招いてしまうことがある。  そして、上記した従来例にあっては、このような対応に関して十分であるとは、決して称し得ないものである。
【０００５】
更に、内外容体の間に水を満たすにつれて、この部分にある空気が押し出されて排除される。  然し乍、空気排出の完全化を期すには極めて困難であり、残留空気の存在は、凍結時に内外容器の上部に中空部を形成してしまう、と言う外観的問題が生じることとなる。  尤も当該中空部の存在に基づき、水の凍結に基づく体積増加を当該中空部の圧縮により吸収すると言う作用も推定されるが、目立つ状態で存在する中空部の存在が、外観的美感を損ねてしまうことは避けられない。
【０００６】
本発明は、上述したような従来の各問題点を解消した新規の氷結容器の提供を図ったものである。
【課題を解決するための手段】
【０００７】
本発明は請求項１に記載のように、両者を重ね合わせることに依って氷結水収容用空所を有する二重容器を形成するための外側容体Aと内側容体Bとから成り、外側容体Aの内壁所要箇所に係止用横長突起３を複数突設すると共に、内側容体Bの外壁所要箇所にして前記係止用横長突起３と高さ的に対応する箇所に横長受け溝片４を複数突設し、内側容体Bを水平方向に回転させることにより、横長受け溝片４が移動して係止用横長突起３と係合し、当該係止に基づき、外側容体Aと内側容体Bとの適正重ね合せ状態での固定化を図るように構成した氷結容器に係る。
【０００８】
本発明は請求項２に記載のように、内側容体Bの上端部分には、非重ね合せ部分たる飲み口用筒部１を連設すると共に、当該連設基部には段部２を形成することに依って、外側容体Aと内側容体Bの適性重ね合せ状態において、外側容体Aの上端縁が当該段部２に突き当たり、その重ね合せの安定化を図るように構成した請求項１に記載の氷結容器を実施の態様とする。
【０００９】
本発明は請求項３に記載のように、外側容器Aと内側容器Bの各周壁面を、開口面側が大径化するようなテーパ周壁面とすると共に、両者を重ね合せた際に外側容器Aの周壁面に対して内側容体Bの周壁が上方に行くに従って次第に近づくように、両者のテーパ角度を違えたものとし、段部２の存在に基づき、外側容器Aと内側容器Bの適性重ね合せ状態の安定化が図られた際、底面側には所要量の水を貯えるための空所Mが形成されると共に、これと連続しかつ両容体A,Bの周壁面で形成される部分には、上方に行くに従って狭小化する空所Nが形成されるように構成した請求項１または請求項２の何れかに記載の氷結容器を実施の態様とする。
【００１０】
本発明は請求項４に記載のように、内側容体Bの外壁面上端寄り所要箇所に密閉用Oリング５を設けることに依って、両容体A,Bの安定的重ね合せの固定化が図られた状態で、上記狭小化する空所Nの上端閉鎖がなされ、両容体A,Bを天地逆転させた状態における氷結用内蔵水漏洩を阻止するように構成した請求項１乃至請求項３の何れかに記載の氷結容器を実施の態様とする。
【００１１】
本発明は請求項５に記載のように、外側容体Aの内面にして下方寄り所要箇所に、外側容体Aに入れるべき水量の目安となる水位表示用ライン６を設けるように構成した請求項１乃至請求項４の何れかに記載の氷結容器を実施の態様とする。
【発明の効果】
【００１２】
本発明は請求項１に記載のような構成、すなわち、両者を重ね合わせることに依って氷結水収容用空所を有する二重容器を形成するための外側容体Aと内側容体Bとから成り、外側容体Aの内壁所要箇所に係止用横長突起３を複数突設すると共に、内側容体Bの外壁所要箇所にして前記係止用横長突起３と高さ的に対応する箇所に横長受け溝片４を複数突設し、内側容体Bを水平方向に回転させることにより、横長受け溝片４が移動して係止用横長突起３と係合し、当該係止に基づき、外側容体Aと内側容体Bとの適正重ね合せ状態での固定化を図るように構成したから、外側容体Aと内側容体Bとの結合が極めて確固たるものとされる。  すなわち、内外容体の結合を、例えば螺子込手段に依存した場合、収容した氷結用水の氷結開始と共にその体積膨張が始まるため、当該螺子部分にもこれを拡げようとする膨張力が加わることとなる。  従って、氷結途上において、当該部分に加わる圧力が当該螺子部の緩みを生じさせ、これに依り、内蔵する氷結用水の漏洩を招いてしまい易いと言う問題が伴った。
【００１３】
本発明に依れば、外側容体Aと内側容体Bの結合を図る部分として、独立した機能を司る係止用横長突起３と横長受け溝片４とを設けるように構成したから、その係止力は氷結水の膨張性には全く影響されず極めて確固した結合力を発揮することとなる。  同時に、係合状態にある横長突起３と横長受け溝片４の存在は、これが複数個所であるため、外側容体Aと内側容体Bとで形成される空所N部分に対するスペーサー的役割を発揮し、当該空間部分の氷結に基づく膨張力に対する良好なる変形阻止作用を奏することとなる。
【００１４】
本発明は請求項２に記載のような構成、すなわち、内側容体Bの上端部分には、非重ね合せ部分たる飲み口用筒部１を連設すると共に、当該連設基部には段部２を形成することに依って、外側容体Aと内側容体Bの適性重ね合せ状態において、外側容体Aの上端縁が当該段部２に突き当たり、その重ね合せの安定化を図るように構成したから、空所N内の氷結が進行して膨張力が発生しても、外側容体Aと内側容体Bの接点部分(上縁部分)は当該段部２に依って閉鎖されているため、当該接点部分の変形発生に基づく氷結水漏洩と言うような事態が生じることがない。  同時に、外側容体Aと内側容体Bの上方へのズレ動きを完全に阻止しているため、これが動いてしまった場合に生じる完成氷結容器の口縁部分対する歪み発生と言うような問題を阻止する。
【００１５】
本発明は請求項３に記載のような構成、すなわち、外側容器Aと内側容器Bの各周壁面を、開口面側が大径化するようなテーパ周壁面とすると共に、両者を重ね合せた際に外側容器Aの周壁面に対して内側容体Bの周壁が上方に行くに従って次第に近づくように、両者のテーパ角度を違えたものとし、段部２の存在に基づき、外側容器Aと内側容器Bの適性重ね合せの状態の安定化が図られた際、底面側には所要量の水を貯えるための空所Mが形成されると共に、これと連続しかつ両容体A,Bの周壁面で形成される部分には、上方に行くに従って狭小化する空所Nが形成されるように構成したから、外側容体A内に氷結用水を所要量充填しておき、この状態で内側容体Bを挿し込んだ際、例えば氷結用水が多すぎた場合、その空所Nは上方に行くに従って狭小化するものであるから、極めて緩やかな形態の溢れ出し(排出)がなされる。  そのため、氷結形態に歪みや空気の局部的含有に基づく端縁部の不揃い、或いは、空洞発生と言うような問題が生じることがない。
【００１６】
本発明は請求項４に記載のような構成、すなわち、内側容体Bの外壁面上端寄り所要箇所に密閉用Oリング５を設けることに依って、両容体A,Bの安定的重ね合せの固定化が図られた状態で、上記狭小化する空所Nの上端閉鎖がなされ、両容体A,Bを天地逆転させた状態における氷結用内蔵水漏洩を阻止するように構成したから、当該天地逆転状態での凍結開始に伴い、残留空気は一番広い場所である空所M内に集められるため、水の凍結に基づく体積膨張という歪を、当該集められた空気を圧縮する力として吸収することができる。  従って、氷結に基づく発生歪の集約的処理が果たされる。
【００１７】
更に、前述した「外側容体Aと内側容体Bの結合を図る部分だけとして機能する係止用横長突起３と横長受け溝片４」を設けた構成と相まって、密閉用Oリング５の存在は「密閉だけを司る構成」されるため、夫々の機能的独立性に基づき夫々の目的達成の完璧化が図られる。
【００１８】
本発明は請求項５に記載のような構成、すなわち、外側容体Aの内面にして下方寄り所要箇所に、外側容体Aに入れるべき水量の目安となる水位表示用ライン６を設けるように構成したから、注水作業の容易化及び正確化が図られる。
【図面の簡単な説明】
【００１９】
【図１】重ね合せ状態にある本発明の一部切欠正面図である。
【図２】同上平面図である。
【図３】本発明における外側容体Aを表した一部切欠正面図である。
【図４】本発明における内側容体Bを表した一部切欠正面図である。
【図５】外側容体Aと内側容体Bの連結部分を表した説明用断面図であって、結合前の状態を表したものである。
【図６】外側容体Aと内側容体Bの連結部分を表した説明用断面図であって、結合状態を表したものである。
【図７】本発明の使用工程を段階的に表した説明用略図である。
【発明を実施するための形態】
【００２０】
図１及び図２は重ね合せ状態にある本発明全体を表したものである。  同図において、Aは外側容体、Bは内側容体であって、両者を重ね合わせることに依って、タンブラー状の二重容器が形成されるようになっている。  なお、内側容体Bの上端部分には、非重ね合せ部分たる飲み口用筒部１が連設してある。  そして、当該連設基部には段部２を形成することに依って、両容体A,Bの適性重ね合せ状態において、外側容体Aの上端縁が当該段部２に突き当たり、その重ね合せの安定化を図っている。(必要以上に深く重ね合わされことの阻止を図っている。) 
【００２１】
上記した外側容器Aと内側容器Bの各周壁面は、開口面側が大径化するようなテーパ周壁面とすると共に、両者を重ね合せた際に外側容器Aの周壁面に対して内側容体Bの周壁が上方に行くに従って次第に近づくように、両者のテーパ角度を違えてある。  また、上記段部２の存在に基づき、外側容器Aと内側容器Bの重ね合せの安定化が図られた際、底面側には所要量の水を貯えるための空所Mが形成されるように構成してあり、更に、両容体の周壁面で形成され、かつ、当該空所Mと連なる空所は上方に行くに従って狭小化する空所Nとなるように構成してある。
【００２２】
３は外側容体Aの内壁所要箇所に突設した係止用横長突起 (図３参照)、４は内側容体Bの外壁所要箇所(係止用横長突起３と高さ的に対応する箇所)に突設した横長受け溝片であって(図４参照)、両容体A,Bが前記したように重ね合せの安定化が図られた際、内側容体Bを水平方向に回転させることにより、横長受け溝片４が移動して係止用横長突起３と噛み合うよう係合し、これに依り、両容体A,Bの重ね合せの固定化が図られるように構成してある。
【００２３】
なお、図面に示す実施例にあっては、上記係止用横長突起３と横長受け溝片４は夫々対象位置に２ヶ所設けるように構成してあるが、これは３か所等、２ヶ所以上等間隔で設けるように構成しても良い。
【００２４】
５は密閉用Oリングであって、内側容体Bの外壁面上端寄り所要箇所に設けてある。  そして、両容体A,Bの上記した重ね合せの安定化及び固定化が図られた状態で、上記狭小化する空所Nの上端閉鎖がなされるように構成してある。
【００２５】
６は水位表示用ラインであって、外側容体Aの内面にして下方寄り所要箇所に水平状に形成してある(図３参照)。  当該水位表示用ライン６は、外側容体Aに入れる水量の目安となるものであり、この線まで水を入れた状態で、内側容体Bを挿し込んで重ねることにより、当該水が重ね合せ間隙(上述した空所M及びN)を満たすだけの量に正しく計量化されるように設定してある。
【００２６】
なお、図示の実施例にあっては、当該水位表示用ライン６は外側容体Aに対して全周的に形成するようになっているが、これは部分的、または破線的な表示であっても可とする。
【００２７】
図７は本発明の使用工程を表した説明用略図である。  すなわち、外側容体Aと内側容体Bとを分離し、外側容体Aに対して水道水等の水を水位表示用ライン６の位置まで入れる。  然る後、外側容体A内に内側容体Bを一杯に差し込む(この状態にあっては外側容体Aの上端縁が内側容器Bの段部２に突き当たり重ね合せの安定化が図られる。)。  この状態で、内側容体Bを水平に回転させることに依って、横長受け溝片４と係止用横長突起３の係合を図り(右側２段目の図参照)、両容体A,Bの重ね合せ状態での固定化を図る。  このようなセット操作を行った後、これを天地逆転させた状態で冷凍室にて凍らせれば、最終段図に示すように氷結容器が完成化され、ウイスキー、ビール、清涼飲料用等のタンブラーとして利用することができる。  なお、このような天地逆転させても、密閉用Oリングの存在に基づき、水が内外両容体A.Bの合致開口側から漏れ出してしまうことがない。
【００２８】
なお、上記のように天地逆転状態で冷凍室に入れるのは、内外両容体A,Bの合致に際して内蔵された空気を、底面側(空所M内)に導くことに依り、その存在を目立たなくするためと、水の冷凍に基づく体積増大を当該空所M部分の空気圧縮に基づき吸収するためである。  すなわち、天地逆転させずに冷凍させた場合、容器の目立つ部分である開口部分に空気間隙が生じてしまう点と、冷凍に基づく内臓水の膨張が、反りやすい部分である当該開口部の空気間隙に集中し、不測の変形、更には解凍水の漏洩と言うような事態発生を回避するためである。  このような問題の解消化を図るための天地逆転操作は、密閉用Oリングの存在に基づき可能化される。
【００２９】
タンブラーとしての使用後は、内外両容体A,Bを分離して洗浄することに依り、続いての使用に対する準備状態となる。
【符号の説明】
【００３０】
A  外側容体
B  内側容体
１  飲み口用筒部
２  段部
３  係止用横長突起
４  横長受け溝片
５  密閉用Oリング
６  水位表示用ライン
M  底面側の空所
N  両容体の周壁面で形成される側の空所
【図１】
2014015243.tif 000003
【図２】
2014015243.tif 000004
【図３】
2014015243.tif 000005
【図４】
2014015243.tif 000006
【図５】
2014015243.tif 000007
【図６】
2014015243.tif 000008
【図７】
2014015243.tif 000009